(57)【要約】【課題】コードの保持を簡単に行うことが出来ると共に、コードの保持時にはコードを安定して作業者の身体の近くの保持しておくことを可能とする。【解決手段】コードキーパは、軸７により互いに回転自在に連結された一対のリンク部材１ａ、１ｂにコード１４を保持するコード支持部５ａ、５ｂと前記軸７を中心とする回転により開閉し、閉じた時に作業者の衣服等のシート状物１２を挟むするニップ部３ａ、３ｂとを備えている。両リンク部材１ａ、１ｂにはそれらのニップ部３ａ、３ｂが閉じる方向に弾力を付勢すると共に、各ニップ部３ａ、３ｂの両側に前記シート状物１２に当接するサポート片２ａ、２ｂが延設されている。【選択図】図６
2010259700.tif 000002
【特許請求の範囲】
【請求項１】
作業者（１１）の身体にコード（１４）を保持しておくのに使用するコードキーパであって、軸（７）により互いに回転自在に連結された一対のリンク部材（１ａ）、（１ｂ）にコード（１４）を保持するコード支持部（５ａ）、（５ｂ）と前記軸７を中心とする回転により開閉し、閉じた時にシート状物（１２）を挟むニップ部（３ａ）、（３ｂ）とを備え、両リンク部材（１ａ）、（１ｂ）にはそれらのニップ部（３ａ）、（３ｂ）が閉じる方向に弾力を付勢すると共に、各ニップ部（３ａ）、（３ｂ）の両側に前記シート状物（１２）に当接するサポート片（２ａ）、（２ｂ）が延設されたことを特徴とするコードキーパ。
【請求項２】
軸（７）を中心にリンク部材（１ａ）、（１ｂ）を回転させてそのニップ部（３ａ）、（３ｂ）を開閉させるレバー片（４ａ）、（４ｂ）を有し、このレバー片（４ａ）、（４ｂ）に内側に凹んだコード支持部（５ａ）、（５ｂ）が形成されていることを特徴とする請求項１に記載のコードキーパ。
【請求項３】
サポート片（２ａ）、（２ｂ）はニップ部（３ａ）、（３ｂ）を起点としてその両側に延設されており、作業者（１１）の身体の表面形状に合わせて湾曲していることを特徴とする請求項１または２に記載のコードキーパ。
【発明の詳細な説明】
【技術分野】
【０００１】
本発明は、紐やコード状のものを保持しておくのに使用するコードキーパに関し、例えば電動工具による材料の切断、研磨等の加工中に電動工具の電源コードが邪魔にならないように作業者の身体近くに保持しておくのに好適なコードキーパに関する。
【背景技術】
【０００２】
電動工具を手で持ちながら木材や金属材料を切断、切削、研磨等の作業を行う際に、電源コードは作業の邪魔にならないように保持しておかなければならない。特に刃物を用いての作業の場合は電源コードを誤って切断したり、電源コードが加工作業の障害にならないように電源コードの中間部を刃物から遠ざけておく必要がある。この目的で一般には作業者が電源コードを肩に掛けながら作業を行うことが多い。
【０００３】
しかし肩は首から外側にいくに従った次第に下がっており、作業中にコードが肩からずり落ちやすい。そのため作業者は工具を持つ手側の肩を高い位置に保持しながら作業を行う等、無理な姿勢での作業が強いられる。このような無理な姿勢は作業能率を低下させ、作業者の疲労を増大させる原因となるため好ましいことではない。
【０００４】
従来、芝生バリカンや生垣バリカン等の園芸用電動工具用に開発されたコードキーパは幾つかの種類のものが既に用いられている。しかしこれらは、作業者の腰の位置に電源コードを保持するもので、作業者の肩に電源コードを保持するのには適していない。
【０００５】
人の肩に電源コードを保持するコードキーパとしては、例えば下記特許文献１として示した米国特許出願公開２００２／０１７８５５０公報に記載されているものが知られている。
しかしこの公報に記載されたコードキーパは、肩に掛ける長尺な湾曲した棒状のものの両端部に電気機器の電源コードを引っ掛けて使用するものであり、電源コードのセットに手数がかかる。電気丸のこによる木材の切断、電気グランインダによる材料の研磨等の手持ちの電動工具を使用して材料を加工する作業では、電源コードを肩に掛けたり外したりすることを頻繁に繰り返すことが多く、前記のコードキーパでは極めて使い勝手が悪い。
【先行技術文献】
【特許文献】
【０００６】
【特許文献１】米国特許出願公開２００２／０１７８５５０公報
【特許文献２】米国特許５５７１２２８公報
【発明の概要】
【発明が解決しようとする課題】
【０００７】
本発明は、前記従来の電動工具のコードを保持する用具の課題に鑑み、コードの保持を簡単に行うことが出来ると共に、コードの保持時にはコードを安定して作業者の身体の近くの保持しておくことが可能であるコードキーパを提供することを目的とする。
【課題を解決するための手段】
【０００８】
本発明では、前記の目的を達成するため互いに軸で連結された一対のリンク部材に作業者が着ている服の服地を挟むニップ部を設け、このニップ部の両側に作業者の身体に当接するサポート片を設け、さらに電動工具の電源コードを保持するコード支持部を設けたものである。これにより、ニップ部で作業者の衣服を挟むと共に、その両側のサポート片を作業者の身体に当てて保持することで、コード支持部により電源コード等を安定して作業者の身体の一部に保持出来るようにした。
【０００９】
すなわち本発明によるコードキーパは、軸７により互いに回転自在に連結された一対のリンク部材１ａ、１ｂにコード１４を保持するコード支持部５ａ、５ｂと前記軸７を中心とする回転により開閉し、閉じた時に作業者の衣服等のシート状物１２を挟むするニップ部３ａ、３ｂとを備え、両リンク部材１ａ、１ｂにはそれらのニップ部３ａ、３ｂが閉じる方向に弾力を付勢すると共に、各ニップ部３ａ、３ｂの両側に前記シート状物１２に当接するサポート片２ａ、２ｂが延設されたものである。
【００１０】
より具体的には、軸７を中心にリンク部材１ａ、１ｂを回転させてそのニップ部３ａ、３ｂを開閉させるレバー片４ａ、４ｂを有し、このレバー片４ａ、４ｂにコード支持部５ａ、５ｂが形成されている。サポート片２ａ、２ｂはニップ部３ａ、３ｂを起点としてその両側に延設されており、作業者の身体の表面形状に合わせて湾曲している。
【００１１】
このようなコードキーパでは、ニップ部３ａ、３ｂの間に作業者１１が着ている衣服等のシート状物１２の任意の部分を挟み込むと共に、そのニップ部３ａ、３ｂで挟み込まれたシート状物１２の両側部分にサポート片２ａ、２ｂを当てる。これにより、コードキーパを作業者１１の衣服の任意の位置に安定して取り付けることが出来る。そのためリンク部材１ａ、１ｂに設けたコード支持部５ａ、５ｂに安定して電動工具１３の電源コード１４等を保持することが可能となる。さらに、ニップ部３ａ、３ｂで挟み込まれた衣服にサポート片２ａ、２ｂを当てることにより、コードキーパを作業者１１の衣服１２に安定して取り付けることが出来る。
【発明の効果】
【００１２】
以上説明した通り、本発明によるコードキーパは、作業者１１が着ている衣服の任意の部分に簡単に取り付けることが出来るので、作業形態に応じて任意の位置に簡単にコードキーパを取り付けて使用することが出来る。しかもコードキーパを作業者１１の衣服に安定して取り付けることが出来るので、電動工具１３の電源コード１４等を作業者１１の身体の一部に安定して保持することが出来る。これにより作業性の向上、安全性の向上を図ることが出来る。
【図面の簡単な説明】
【００１３】
【図１】図１は、本発明によるコードキーパの一実施例を示す斜視図である。
【図２】図２は、本発明によるコードキーパの一実施例を示す正面図である。
【図３】図３は、本発明によるコードキーパの一実施例を示す側面図である。
【図４】図４は、本発明によるコードキーパの一実施例を示す平面図である。
【図５】図５は、本発明によるコードキーパの一実施例を示す分解斜視図である。
【図６】図６は、本発明によるコードキーパの使用例を示す正面図である。
【図７】図７は、本発明によるコードキーパを使用した作業者の例を示す概略図である。
【発明を実施するための最良の形態】
【００１４】
本発明は、前記の目的を達成するため、電動工具の電源コード等を保持するコード支持部に加えて、作業者が着ている衣服を挟み込むニップ部と同衣類の表面に当接するサポート片とを組み合わせることで、作業者が着ている衣服の任意の部分に簡単に且つ安定して取り付けることが出来るようにしたものである。
以下、本発明を実施するための最良の形態について、実施例をあげて詳細に説明する。
【００１５】
図１〜４は、本発明によるコードキーパの一実施例について、その斜視図、正面図、側面図及び平面図をそれぞれ示している。さらに図５は、本発明によるコードキーパの一実施例の各部品を分解して示した斜視図である。
これらの図に示すように、本発明によるコードキーパの一実施例は、両側の一部を除き対称形をした一対のリンク部材１ａ、１ｂを有する。
【００１６】
一対のリンク部材１ａ、１ｂは、一方が正面ほぼＬ字形であり、他方が一部を除きその対称形をなしている。それらの縦の片がレバー片４ａ、４ｂであり、このレバー片４ａ、４ｂの基部から外側に向けて延びる片がサポート片２ａ、２ｂである。レバー片４ａ、４ｂとサポート片２ａ、２ｂとが連なる屈曲部の内側はニップ部３ａ、３ｂとなっている。
【００１７】
レバー片４ａ、４ｂは、その上辺がその幅方向、すなわち図１と図２において前後の方向、図３において左右の方向、図４において上下の方向にわたって湾曲しており、さらにその上辺の図１と図２において手前、図３において右、図４において下の端部分がフック状に突出し、フック部９ａ、９ｂとなっている。レバー片４ａ、４ｂのこの突出したフック部９ａ、９ｂより下の部分は、その内側、すなわち図１と図２において奥側、図３において右側、図４において上側に向けて湾曲して入り込んでおり、この湾曲して内側に入り込んだ部分が凹状のコード支持部５ａ、５ｂとなっている。
【００１８】
一対のリンク部材１ａ、１ｂのレバー片４ａ、４ｂの対向する面からは、それぞれ２つずつのブラケット６ａ、６ａ、６ｂ、６ｂが突設されている。このブラケット６ａ、６ａ、６ｂ、６ｂは、図２〜図５に示すように軸７によって回転自在に連結されている。このブラケット６ａ、６ａ、６ｂ、６ｂに装着した軸７により一対のリンク部材１ａ、１ｂはサポート片２ａ、２ｂとレバー片４ａ、４ｂとの間にあるニップ部３ａ、３ｂが互いに当接し、かみ合うことが可能なように連結される。
【００１９】
さらに、図４と図５に示すように軸７にはバネ等の弾性体８が装着され、この弾性体８の弾力が前記リンク部材１ａ、１ｂのニップ部３ａ、３ｂの間が互いに狭まり、当接する方向に付勢されている。逆に言うと、弾性体８の弾力がレバー片４ａ、４ｂのフック部９ａ、９ｂがある上端側の間が互いに広がり、離れる方向に付勢されている。この弾性体８の弾力により、リンク部材１ａ、１ｂのニップ部３ａ、３ｂは常時閉じているが、レバー片４ａ、４ｂのフック部９ａ、９ｂがある上端側を挟んで近づけることにより、ニップ部３ａ、３ｂが弾性体８の弾力に抗して開く。
【００２０】
なお弾性体８は、図示の場合は巻きバネを例示しているが、一対のリンク部材１ａ、１ｂに前記のように弾力を付勢することが出来るものであれば、その形式、形状等は問わない。例えば板バネ、圧縮バネ、弾性ブロック等、様々な形態、方式のものを適用することが出来る。
【００２１】
弾性体８の弾力により閉じられるリンク部材１ａ、１ｂのニップ部３ａ、３ｂは、図２に示すように正面から見てＳ字形を呈し、その形状がリンク部材１ａ、１ｂの幅方向、すなわち図１と図２において前後方向に、図３において左右方向に、図４において上下方向に連なっている。これらニップ部３ａ、３ｂの形状は対称形ではなく同じであり、従って一方のニップ部３ａの突出した部分は他方のニップ部３ｂの凹んだ部分に、一方のニップ部３ａの凹んだ部分は他方のニップ部３ｂの突出した部分にそれぞれ対応している。前記弾性体８の弾力によりニップ部３ａ、３ｂが閉じたとき、その凹凸溝が互いに嵌り合う。
【００２２】
サポート片２ａ、２ｂは、前記のニップ部３ａ、３ｂからその両側に延びた部分円筒形のウイング状の片である。このサポート片２ａ、２ｂは、ニップ部３ａ、３ｂに沿った方向には真っ直ぐであるが、ニップ部３ａ、３ｂから先端辺に向けては下方に湾曲しており、その曲率は作業者の肩表面の湾曲に合わせてある。
【００２３】
図６はコードキーパを作業者の衣服１２の肩部分に取り付け、電源コード１４をリンク部材１ａ、１ｂの凹状のコード支持部５ａ、５ｂに保持した状態を示している。また図７は作業者１１が電導工具１３を保持した状態において、作業者１１の衣服の肩部分にコードキーパを取り付け、電導工具１３の電源コード１４をリンク部材１ａ、１ｂの凹状のコード支持部５ａ、５ｂに保持した状態を示している。
【００２４】
図７に示すようにコードキーパを作業者１１の衣服のようなシート状物１２の肩部分に取り付ける場合、まずサポート片２ａ、２ｂの下面を作業者１１の衣服であるシート状物１２の肩部分の上に当ててからレバー片４ａ、４ｂの上端を挟み込んで弾性体８の弾力に抗してニップ部３ａ、３ｂを開き、その間にシート状物１２を挟み、その後ニップ部３ａ、３ｂを閉じる。この状態では、図６に示すように、弾性体８の弾力でニップ部３ａ、３ｂが閉じた状態が維持されるので、コードキーパを作業者１１の肩部に取り付けた状態が保持される。さらにこの状態では、図６に示すように、ニップ部３ａ、３ｂの両側のサポート片２ａ、２ｂの下面が作業者１１の衣服であるシート状物１２の表面に当接するため、リンク部材１ａ、１ｂの揺れが防止され、コードキーパを作業者１１の肩に安定して定置することが出来る。
【００２５】
この状態においてレバー片４ａ、４ｂのフック部９ａ、９ｂは予め作業者１１の頭側に向けておき、その下の凹状のコード支持部５ａ、５ｂに電導工具１３の電源コード１４を通し、保持する。これにより、電源コード１４が作業者１１の肩からずり落ちることなく、安定して保持出来る。従って電源コード１４が邪魔にならず安全に作業を行うことが出来る。
【００２６】
本発明によるコードキーパは、コードを保持する点で広い意味のコードキーパに当たるが、コードの一部を完全に固定しておらず、例えば電源コード１４は作業者１１の肩からずり落ちずに保持出来るが、その長手方向には自由に移動することが出来る。電源コード１４の一部が作業者１１の肩に固定されてしまうと、例えばジグソーや電気丸のこ等の電動工具１３で木材を手前から奥に切断するため電動工具を持った手を先に伸ばした時に、電源コードに引っ張られて電動工具が途中で止まってしまい、最後まで切断できない。これに対し、本発明によるコードキーパでは、電源コード１４がその長手方向にはフリーであり、電動工具１３の移動に伴ってその電源コード１４が進行方向に引き出されるので、抵抗にならず、電動工具を先に進めて最後まで切断することが出来る。
【００２７】
さらに、本発明によるコードキーパは、作業者の肩に完全に固定されることはない。コードキーパが作業者の肩に完全に固定されてしまうと、例えば作業中に電源コード１４が別の人に引っ掛けられたり、周囲の障害物に引っ掛かったりした時に作業者の横方向に電源コード１４が引っぱられるケースが考えられる。このケースでは作業者が横方向に引っぱられてバランスを失い、倒れてケガをする可能性もある。これに対して本発明によるコードキーパでは、弾性体８の弾性によりニップ部３ａ、３ｂの間にシート状物１２を挟んで取り付けるため、電源コード１４が急に強い力を受けたとき、作業者１１の衣服であるシート状物１２からニップ部３ａ、３ｂが比較的容易に外れ、作業者の安全が確保できる。
【産業上の利用可能性】
【００２８】
本発明によるコードキーパは、電動工具や電気掃除機等の手動形電気機器の電源コードを肩から提げて保持したり、或いは仮設工事におけるロープを肩から提げて保持したりするの際に、それら電源コードやロープ類等を安定して保持するのに利用することが可能である。
【符号の説明】
【００２９】
７    軸
１ａ  リンク部材
１ｂ  リンク部材
２ａ  サポート片
２ｂ  サポート片
３ａ  ニップ部
３ｂ  ニップ部
４ａ  レバー片
４ｂ  レバー片
５ａ  コード支持部
５ｂ  コード支持部
１１  作業者
１２  シート状物
１４  コード
【図１】
2010259700.tif 000003
【図２】
2010259700.tif 000004
【図３】
2010259700.tif 000005
【図４】
2010259700.tif 000006
【図５】
2010259700.tif 000007
【図６】
2010259700.tif 000008
【図７】
2010259700.tif 000009